(57)【要約】      （修正有）【課題】光ディスクの高速回転に伴う、回転部の浮上量が増大することを抑制する。【解決手段】光ディスク駆動用モータ及び前記光ディスク駆動用モータを備える光ディスク駆動装置に関わる。前記光ディスク駆動用モータはロータホルダとブッシュとの間に配置される吸引マグネットを有する。吸引マグネットと軸方向において一部が重なるように、ロータホルダにはまた突起部が設けられる。ロータホルダとブッシュとは磁性材料により形成され、磁界回路の一部を構成する。これによって、光ディスク駆動用モータは、回転部の浮きを抑制するとともに、軸損を低減することができる。【選択図】図２
2013025857.tif 000002
【特許請求の範囲】
【請求項１】
シャフトと、
前記シャフトが挿入され、前記シャフトを回転自在に支持するスリーブと、
磁性材料によるプレス加工によって形成され、前記スリーブを収容するブッシュと、
前記シャフトの軸方向上部に固定され、径方向に広がる略円板状のカバー部と、前記カバー部の上面から軸方向上側に延びる環状の突起部と、前記カバー部の径方向外側部から下方に向けて延びる周壁部と、を有し、磁性材料によるプレス加工によって形成されるロータホルダと、
前記シャフトに固定される蓋部と、前記蓋部の径方向外側に位置し、前記蓋部と一体に形成されるディスク載置部と、を有し、前記ロータホルダの上方に位置するターンテーブルと、
前記ブッシュの外周面に保持されるステータと、
径方向において隙間を介して前記ステータと対向し、前記周壁部の内周面に保持されるロータマグネットと、
径方向外側面と径方向内側面とを有し、前記ロータホルダと前記ブッシュとの間に配置され、前記突起部と軸方向において一部が重なる吸引マグネットと、
を備え、
前記カバー部は上面と下面とを有し、
前記蓋部はその内側に形成される空洞を有し、
前記突起部は前記空洞内に配置される、光ディスク駆動用モータ。
【請求項２】
請求項１に記載の光ディスク駆動用モータにおいて、
前記突起部は上側面と下側面とを有し、
前記突起部の上側面は、第１上端面と、第１径方向内側面と、第１径方向外側面と、を有し、
前記突起部の下側面は第２径方向内側面を有し、
前記第１径方向内側面、前記第２径方向内側面及び前記第１径方向外側面は、径方向において、内方から外方に向かって順次に配列される。
【請求項３】
請求項１または２に記載の光ディスク駆動用モータにおいて、
前記ブッシュは円柱状本体部を有し、
前記円柱状本体部は、その軸方向上端から径方向外側に広がるフランジを有し、
前記フランジは上面と径方向外側面とを有する。
【請求項４】
請求項１ないし３のいずれかに記載の光ディスク駆動用モータにおいて、
前記吸引マグネットは前記カバー部の下面に配置される。
【請求項５】
請求項３に記載の光ディスク駆動用モータにおいて、
前記吸引マグネットは前記フランジの上面に配置される。
【請求項６】
請求項２ないし５のいずれかに記載の光ディスク駆動用モータにおいて、
前記第１径方向外側面は前記ディスク載置部と径方向に隙間を介して対向する。
【請求項７】
請求項１ないし６のいずれかに記載の光ディスク駆動用モータにおいて、
前記ディスク載置部は前記カバー部の上面と接触する。
【請求項８】
請求項３ないし７のいずれかに記載の光ディスク駆動用モータにおいて、
前記フランジの径方向外側面は、前記吸引マグネットの径方向外側面よりも径方向外側に位置する。
【請求項９】
請求項２に記載の光ディスク駆動用モータにおいて、
前記ブッシュは円柱状本体部を有し、
前記円柱状本体部は、その軸方向上端から径方向外側に広がるフランジを有し、
前記フランジは上面と径方向外側面とを有し、
前記フランジの径方向外側面は、前記突起部の前記第２径方向内側面よりも径方向外側に位置する。
【請求項１０】
請求項１ないし９のいずれかに記載の光ディスク駆動用モータにおいて、
前記カバー部は、径方向内側面を有し、
前記ロータホルダは、前記カバー部の径方向内側から軸方向下側に向かって延びる円筒部を有し、
前記円筒部が前記シャフトに固定される。
【請求項１１】
請求項１０に記載の光ディスク駆動用モータにおいて、
前記円筒部は外周面を有し、
前記吸引マグネットは前記ロータホルダの円筒部の径方向外側に位置する。
【請求項１２】
請求項１１に記載の光ディスク駆動用モータにおいて、
前記吸引マグネットの径方向内側面と前記ロータホルダの円筒部の外周面との間に隙間を有する。
【請求項１３】
請求項２に記載の光ディスク駆動用モータにおいて、
前記蓋部は、前記シャフトに固定される固定部を有し、
前記固定部は、前記シャフトに接触し、固定される最下端を有する。
【請求項１４】
請求項１３に記載の光ディスク駆動用モータにおいて、
前記蓋部の前記固定部の前記最下端は、前記第１上端面よりも軸方向下側に位置する。
【請求項１５】
請求項１３に記載の光ディスク駆動用モータにおいて、
前記カバー部の上面と前記最下端との間に隙間を有する。
【請求項１６】
請求項１５に記載の光ディスク駆動用モータにおいて、
前記蓋部の前記固定部は、径方向外側面を有し、
前記第１径方向内側面と前記固定部の径方向外側面との間に隙間を有する。
【請求項１７】
請求項１ないし１６のいずれかに記載の光ディスク駆動用モータを備える光ディスク駆動装置。
【発明の詳細な説明】
【技術分野】
【０００１】
本発明は光ディスク駆動用モータおよび前記光ディスク駆動用モータを備える光ディスク駆動装置に関する。更に具体的には、本発明は、前記モータの高速回転中に、回転部の浮きが抑制されるとともに、軸損を低減できる光ディスク駆動用モータおよび前記光ディスク駆動用モータを備える光ディスク駆動装置に関する。
【背景技術】
【０００２】
ＣＤ、ＤＶＤなどのデータ記録光ディスク（以下、単に光ディスクという）の情報の読み取りおよび／または書き込みに用いる光ディスク駆動装置は光ディスク駆動用モータを備える。図４の示すように、中国特許出願公開第１７４７０２８号明細書では、従来の光ディスク駆動用モータが開示されている。駆動中に回転するかどうかによって、前記光ディスク駆動用モータの構成部材は静止部と回転部に分けられる。静止部は、フレーム１０２と、フレーム１０２の開口部に取り付けられる略円筒形のブッシュ１０４と、ブッシュ１０４内に収容されるスリーブ１０６と、ブッシュ１０４の外周面に固定されるステータ１１０とを有する。回転部は、スリーブ１０６に回転自在に支持されるシャフト１０８と、シャフト１０８の軸方向上部に固定されるロータホルダ１１２と、ロータホルダ１１２の上方においてシャフト１０８に固定され、光ディスク１５０を支持および保持するディスクホルダ１２０とを有する。ロータホルダ１１２の内周面にはロータマグネット１１４が固定される。光ディスク駆動用モータは、ステータ１１０とロータマグネット１１４との間の磁束の作用により駆動する。
【０００３】
ディスクホルダ１２０は、シャフト１０８に固定されるセンタリングケース１２２と、センタリングケース１２２の周りにそれと一体に形成されるターンテーブル１２４とを有する。ターンテーブル１２４には光ディスク１５０が載置される。センタリングケース１２２は、その内側に形成される空孔１２３と、タータンテーブル１２４に載置される光ディスク１５０を、回転部の回転中心と合わせるために用いる調芯爪１２６と、コイルばね１２７の弾性力によって押圧され、ターンテーブル１２４に載置される光ディスク１５０の軸方向の移動を抑制する爪形チャック１２８と、を有する。また、ロータホルダ１１２は、軸方向上側に突出する突起部１１６を有する。該突起部１１６はチャック１２８の基部と対向し、それらの間には小さな隙間を有する。これによって、チャック１２８の軸方向下側への移動を制限することで、光ディスクの保持力を大きくすることができる。
【特許文献１】中国特許出願公開第１７４７０２８号明細書
【発明の概要】
【発明が解決しようとする課題】
【０００４】
ところで、ＣＤ、ＤＶＤなどの光ディスクの読み取りおよび／または書き込みの高速化に伴い、光ディスクおよび光ディスク駆動用モータの回転速度はますます高くなる。光ディスク駆動用モータは、光ディスクを高速に回転させると、光ディスクの浮上力は大きくなり、それに伴って回転部の浮上量が増大してしまう問題が存在する。
【０００５】
以上、本発明は、上記課題に対して鑑みたものであり、回転部の浮きを抑制する光ディスク駆動用モータを提供することを目的とする。
【課題を解決するための手段】
【０００６】
本発明の例示的な光ディスク駆動用モータは、シャフトと、前記シャフトが挿入され、前記シャフトを回転自在に支持するスリーブと、磁性材料によるプレス加工によって形成され、前記スリーブを収容するブッシュと、前記シャフトの軸方向上部に固定され、径方向に広がる略円板状のカバー部と、前記カバー部の上面から軸方向上側に延びる略環状の突起部と、前記カバー部の径方向外側部から下方に向けて延びる周壁部と、を有し、磁性材料によるプレス加工によって形成されるロータホルダと、前記シャフトに固定される蓋部と、前記蓋部の径方向外側に位置し、前記蓋部と一体に形成されるディスク載置部と、を有し、前記ロータホルダの上方に位置するターンテーブルと、前記ブッシュの外周面に保持されるステータと、径方向において隙間を介して前記ステータと対向し、前記周壁部の内周面に保持されるロータマグネットと、径方向外側面と径方向内側面とを有し、前記ロータホルダと前記ブッシュとの間に配置され、前記突起部と径方向において一部が重なる吸引マグネットと、を備え、前記カバー部は上面と下面とを有し、前記蓋部はその内側に形成される空洞を有し、前記突起部は前記空洞内に配置される。
【発明の効果】
【０００７】
ロータホルダとブッシュとの間には吸引マグネットを設け、前記吸引マグネットと径方向において一部が重なるように、ロータホルダには突起部を設置する。そして、ロータホルダとブッシュとを磁性材料により形成することによって、ロータホルダとブッシュとは磁気回路の一部を構成する。本発明の光ディスク駆動用モータは回転部の浮きを抑制することができるとともに、軸損を低減することもできる。そのため、本発明の光ディスク駆動用モータは特に光ディスクの高速駆動に適用する。
【０００８】
さらに、本発明の光ディスク駆動装置は前記の光ディスク駆動用モータを備える。
【図面の簡単な説明】
【０００９】
【図１】図１は、本発明の一実施形態における光ディスク駆動装置の断面図である。
【図２】図２は、本発明の一実施形態における光ディスク駆動用モータの断面図である。
【図３】図３は、図２の光ディスク駆動用モータ上部の部分拡大図である。
【図４】図４は、従来技術の光ディスク駆動用モータの断面図である。
【発明を実施するための形態】
【００１０】
以下、本発明の光ディスク駆動用モータの実施例を図面に基づいて具体的に説明する。すべての図面では、同様の部材あるいは同様の構成については同符号を付す。以下の実施形態と図面は本質的な例示に過ぎず、本発明の範囲を限定するものではない。
【００１１】
本明細書にて言及する上下および内外などの方向を示す表現は、図面の向きに基づいて実施形態を例示的に説明するために用いる。したがって、本発明の光ディスク駆動用モータおよびディスク駆動装置が実際の機器に搭載されたときの設置姿勢を限定するものではない。
【００１２】
（ディスク駆動装置の構成）
図１は、本発明の例示的な一実施形態におけるディスク駆動装置１の断面図である。ディスク駆動装置１は、中心軸Ｘを中心として着脱可能な光ディスク５６を回転させつつ、情報の読み出しおよび書き込みを行う装置である。図１に示すように、ディスク駆動装置１は、筺体１１と、ディスクトレイ１５と、光ディスク駆動用モータ１３（以下、単にモータ１３という）と、アクセス部１７と、を備えている。
【００１３】
筺体１１は箱状である。筺体１１は天板部を有する。天板部は、径方向に広がる略平板状の部材である。筺体１１は、ディスクトレイ１５、モータ１３、およびアクセス部１７を内部に収容している。天板部は、ディスクトレイ１５、モータ１３、およびアクセス部１７よりも上方に配置されている。ディスクトレイ１５は、筺体１１の外部と内部との間でスライド移動し、これにより、ディスク５６を搬入および搬出する。筺体に収容されているモータ１３は、ディスクトレイ１５に固定されている。ディスク５６は、モータ１３の回転部３３に保持され、モータ１３により、中心軸Ｘを中心として回転される。
【００１４】
アクセス部１７は、光ピックアップ機能を含むヘッド１７ａを有する。ヘッド１７ａは、光ピックアップ機構である。アクセス部１７は、モータ１３により回転するディスク５６の記録面に沿ってヘッド１７ａを移動させて、情報の読み出しおよび書き込みを行う。なお、アクセス部１７のヘッド１７ａは、ディスク５６の記録面に対して、情報の読み出しおよび書き込みの一方のみを行うものであってもよい。
【００１５】
（モータの構成）
図２は本発明の例示的な一実施形態におけるモータ１３の断面図である。図３は、図２のモータ１３上部の拡大断面図である。以下、図２および図３に基づいて説明する。
【００１６】
モータ１３は静止部４３と回転部３３とを備える。静止部４３は、取付け板２と、ブッシュ４と、スリーブ８と、ステータ１０と、を有する。取付け板２は、円形孔２ａを有する。ブッシュ４は、磁性材料（例えば鉄、ステンレス鋼）によるプレス加工によって形成される。ブッシュ４は、円筒形本体を有し、上端が開口し、下端が底壁６により封閉される。すなわち、ブッシュ４は、有底略円筒状の部材である。スリーブ８は、略円筒状の部材であり、シャフト１２が挿入される。スリーブ８は、ブッシュ４の内部に保持される。ステータ１０は、ブッシュ４の外周面に保持される。前記円筒形本体の下部は円形孔２ａを構成する面に取り付けられる。ステータ１０は、取付け板２の上方に位置する。
【００１７】
回転部３３は、シャフト１２と、ロータホルダ１４と、ターンテーブル１６と、を有する。シャフト１２はスリーブ８により回転自在に支持される。ロータホルダ１４は、磁性材料（例えば、鉄）によるプレス加工によって形成され、シャフト１２の軸方向上部に固定される。ロータホルダ１４は、シャフト１２の軸方向上部に固定され、取り外し可能な光ディスク５６を支持および挟持する。シャフト１２の下端は、滑り回転するようにブッシュ４の底壁６に支持される。
【００１８】
ロータホルダ１４は、カバー部１４ａと、周壁部１４ｂと、を有する。カバー部１４ａは、径方向に広がり、径方向内側部と径方向外側部とを有する略円板状の部位である。周壁部１４ｂは、カバー部１４ａの径方向外側部から下方に向けて延びる部位である。カバー部１４ａは上面と下面とを有する。回転部３３は、さらに、周壁部１４ｂの内周面に保持されるロータマグネット１８を有する。ロータマグネット１８は、径方向に隙間を介して、ブッシュ４に保持されるステータ１０と対向する。回転部３３の回転軸は中心回転軸Ｘとほぼ同軸である。
【００１９】
ロータホルダ１４は、さらに、カバー部１４ａの上面から軸方向上側に突出する環状の突起部３２を有する。該突起部３２は、ロータホルダ１４を形成する過程で形成される。突起部３２は円弧状などの形状に形成されてもよい。図３では、突起部３２は上側面と下側面を有する。突起部３２の上側表面は、第１上端面３２ａと、第１径方向内側面３２ｂと、第１径方向外側面３２ｃと、を有する。突起部３２の下側表面は、第２上端面３２ｄと、第２径方向内側面３２ｅと、第２径方向外側面３２ｆと、を有する。第１径方向内側面３２ｂ、第２径方向内側面３２ｅ、第２径方向外側面３２ｆ及び第１径方向外側面３２ｃは、径方向において、内方から外方に向かって順次に配列される。つまり、第１上端面３２ａは、カバー部１４ａの上面よりも軸方向において上側に位置している。また、第１上端面３２ａと前記第２上端面３２ｄは軸方向において上方から下方に向かって順次に配列される。
【００２０】
ターンテーブル１６は、ロータホルダ１４の上方に位置する。ターンテーブル１６は、シャフト１２に固定される蓋部２０と、蓋部２０と一体に形成されるディスク載置部２２と、を有する。図３に示すように、蓋部２０は、シャフト１２に固定される固定部２５を有する。固定部２５は、シャフト１２と接触し、固定される最下端Ａと、径方向外側面２５ａを有する。蓋部２０は、接着剤を利用してシャフト１２に固定されてもよい。また、カバー部１４ａの上面と蓋部２０の固定部２５の最下端Ａとの間に、隙間を有する。ディスク載置部２２は、蓋部２０の径方向外側に位置する。ディスク載置部２２は、ロータホルダ１４のカバー部１４ａの上面と接触してもよい。更には、ディスク載置部２２は、接着剤などによって、カバー部１４ａの上面に固定されてもよい。これにより、ディスク載置部の剛性を大きくすることができる。無論、ディスク載置部２２とカバー部１４ａの上面との間に、微小な隙間を設けてもよい。突起部３２の第１径方向外側面３２ｃは、ディスク載置部２２と対向し、それらの間には隙間を設けてもいい。蓋部２０の固定部２５の最下端Ａは、突起部３２の第１上端面３２ａと比べて、軸方向下側に位置してもよい。突起部３２の第１径方向内側面３２ｂと蓋部２０の固定部２５の径方向外側面２５ａとの間に隙間を設けてもよい。緩衝材２４は、ディスク載置部２２の上面に取り付けられ、光ディスク５６と直接的に接触する。光ディスク５６をディスク載置部２２に載置する際に、蓋部２０が光ディスク５６の中心孔５６ａの径方向内側に位置するように、蓋部２０の外径は、光ディスク５６の中心孔５６ａの公差範囲内での最小寸法よりも少し小さく設計される。蓋部２０は、空洞２３と、複数の調芯爪２６と、複数のチャック爪２８と、を有する。空洞２３は、蓋部２０の内側に形成される。調芯爪２６は、ディスク載置部２２に載置される光ディスク５６の中心と、回転部３３の回転軸中心とを調芯するために用いられる。チャック爪２８は、ディスク載置部２２に取り付けられる光ディスク５６の軸方向の移動を抑制するために用いられる。突起部３２は空洞２３内に配置される。
【００２１】
本実施形態では、蓋部２０は、周方向において、等間隔に配置される３つの調芯爪２６と、周方向において等間隔に配置される３つのチャック爪２８とを有する。また、調芯爪２６とチャック爪２８とは、蓋部２０の周方向に沿って交互に配置される。それぞれの調芯爪２６は、蓋部２０の上端部と一体に形成され、且つ径方向外側に広がる円形部２６ａと、円形部２６ａの径方向外端部から径方向外側に延びると同時に、軸方向下側に延びる曲部２６ｂとを有する。曲部２６ｂは円弧形に形成されてもよい。曲部２６ｂの下端部は、蓋部２０の外周面から径方向外側に少し突出する。それぞれの調芯爪２６の下端部を結ぶ仮想円の半径は、光ディスクの中心孔の公差範囲内での最大半径よりも少し大きく設計される。
【００２２】
チャック爪２８は、ターンテーブル１６とは独立した部材で、上斜面２８ａと、下斜面２８ｂと、下端面２８ｃと、を有する。上斜面２８ａは、上面から軸方向下側かつ径方向外側に傾斜しつつ延びる。下斜面２８ｂは、上斜面２８ａの径方向外端部から径方向内側かつ軸方向下側に傾斜しつつ延びる。チャック爪２８の一部は、蓋部２０の空洞２３内に収容される。また、チャック爪２８はコイルばね３０により径方向外側に押圧されるように設置される。コイルばね３０は、蓋部２０と接触する径方向内端部分と、チャック爪２８と接触する径方向外端部分とを有し、空洞２３内に収容される。これによって、チャック爪２８は、コイルばね３０が径方向に圧縮される時に、径方向内側に移動する。チャック爪２８はコイルばね３０のスプリングバックにより径方向外側に移動する。ところで、チャック爪２８の下斜面２８ｂの一部は、蓋部２０の側壁部に接触することで、チャック爪２８の径方向外側への移動を制限する。軸方向下側に光ディスク５６を押さえることで光ディスク５６の取り付け時に、光ディスク５６の中心孔５６ａを構成する面の下端縁は、チャック爪２８の上斜面２８ａに圧力を与える。チャック爪２８は、該圧力の径方向の分力により径方向内側に移動する。光ディスク５６の中心孔５６ａを構成する面の下端縁は、上斜面２８ａと調芯爪２６の曲り部分２６ｂに滑ることによって、シャフト１２と同軸となるよう調芯される。光ディスク５６の中心孔５６ａを構成する面の下端縁が上斜面２８ａを通過した後に、チャック爪２８は、コイルばね３０のスプリングバックによって、径方向外側に向かって移動する。この時、チャック爪２８の下斜面２８ｂは光ディスク５６の中心孔５６ａを構成する面の上端縁を滑る。なお、光ディスク５６は、チャック爪２８を滑るとともに、調芯爪２６の曲部２６ｂを滑る。３つの調芯爪２６の曲部２６ｂと中心軸Ｘとを結ぶ距離は、３つの調芯爪２６の軸方向のいかなる位置においてもそれぞれ等しい。そのため、これらの３つの調芯爪２６はそれぞれ、均一に光ディスク５６の中心孔５６ａを構成する面を径方向外側に押すことができる。これにより、光ディスク５６と回転部３３とを調芯する。光ディスク５６を回転部３３に取り付けた後に、チャック爪２８の下斜面２８ｂは、コイルばね３０のスプリングバックにより軸方向上側から光ディスク５６を押し付ける。これによって光ディスク５６に対する挟持を実現する。光ディスク５６の移動については以下に説明する。
【００２３】
本発明のモータ１３は、さらに、吸引マグネット３４を有する。吸引マグネット３４は、径方向外側面３４ａと径方向内側面３４ｂとを有する（図３参照）。また、吸引マグネット３４は、ロータホルダ１４とブッシュ４との間に配置され、突起部３２と軸方向において一部が重なる。図２のように、吸引マグネット３４は、突起部３２と軸方向において一部が重なるように、ロータホルダ１４のカバー部１４ａの下面に固定される。吸引マグネット３４がロータホルダ１４のカバー部１４ａの下面に配置され、吸引マグネット３４が突起部３２と軸方向において一部重なることにより、吸引マグネット３４の径方向外側の部位とブッシュ４との間に発生する磁束の密度が小さくなる。その結果として、回転部３３の浮きを抑制しつつ、軸損を低減することができる。
【００２４】
ロータホルダ１４は、カバー部１４ａの径方向内側から軸方向下側に延びる円筒部３８を有する。ロータホルダ１４は、円筒部３８によりシャフト１２に固定される。円筒部３８は、外周面３８ａを有する（図３参照）。吸引マグネット３４は、ロータホルダ１４の円筒部３８の径方向外側に位置するように配置されてもいい。また、吸引マグネット３４の径方向内側面３４ｂとロータホルダ１４の円筒部３８の外周面３８ａとの間に隙間が構成される。
【００２５】
ブッシュ４は、円柱状本体部を有する。円柱形本体は、軸方向上端から径方向外側に広がるフランジ３６を有する。フランジ３６は、上面と径方向外側面３６ａとを有する（図３参照）。なお、吸引マグネット３４は、フランジ３６の上面に配置および固定されてもよい。この場合、吸引マグネット３４は、突起部分３２とが軸方向において一部が重なる。吸引マグネット３４がブッシュ４のフランジ３６の上面に配置され、吸引マグネット３４が突起部３２と軸方向において一部重なることにより、吸引マグネット３４の径方向外側の部位とロータホルダ１４との磁束の抵抗が大きくなる。その結果として、回転部３３の浮きを抑制しつつ、軸損を低減することができる。
【００２６】
また、フランジ３６の径方向外側面３６ａは、吸引マグネット３４の径方向外側面３４ａと比べて、より径方向外側に位置してもよい。フランジ３６の径方向外側面３６ａは、突起部分３２の第２径方向内側面３２ｅと比べて、より径方向外側に位置してもよい。
【００２７】
前述したように、吸引マグネット３４は、回転部３３に配置してもよいし、静止部４３に配置してもよい。磁性材料により形成されたロータホルダ１４およびブッシュ４の間に吸引マグネット３４が配置され、突起部３２と吸引マグネット３４とが軸方向において一部が重なることによって、本発明のモータ１３は回転部３３の浮きを抑制することができるとともに、軸損を低減することもできる。
【００２８】
突起部３２の第１上端面３２ａは、チャック爪２８の下端面２８ｃと直接的に接触する、もしくは、第１上端面３２ａは、下端面２８ｃと軸方向隙間を介して対向する。突起部３２を設けることにより、本発明のモータ１３は、チャック爪２８の光ディスク５６に対する保持力を大きくすることができる。さらに、コイルばね３０が押圧される際に、コイルばね３０自体が軸方向下側に曲がることにより、光ディスク５６が正しく取り付けられる。コイルばね３０が軸方向下側に曲がった際に、コイルばね３０が第１上端面３２ａに接触することにより、コイルばね３０が空洞２３から下方に飛び出すことがない。以下、光ディスク５６の取り外し過程については説明する。光ディスク５６が上へ移動する際に、光ディスク５６の中心孔５６ａを構成する面の上端縁は軸方向上側に移動する。それと同時にチャック爪２８の下斜面２８ｂを滑る。この時、チャック爪２８は、光ディスク５６からの径方向内側への圧力を受けて回転する。即ち、チャック爪２８は、その外側端が軸方向上側に向かって、内側端が軸方向下側へ向かって回転する。しかし、チャック爪２８の下端面２８ｃは、突起部３２の第１上端面３２ａと直接的に接触する、もしくは、第１上端面３２ａと微小な軸方向隙間を介して対向するため、軸方向下側への移動は制限される。チャック爪２８と突起部３２とが接触する状態で、下端面２８ｃは、径方向内側に移動するとともに、突起部３２の第１上端面３２ａを滑る。これによって、光ディスク５６の中心孔５６ａを構成する面からの圧力によりチャック爪２８が径方向内側に移動する際に、光ディスク５６は軸方向上側に移動する。光ディスク５６の中心孔５６ａを構成する面の下端縁がチャック爪２８の最外側部を通過する時に、光ディスク５６はモータ１３の回転部３３から取り外される。また、チャック爪２８はコイルばね３０のスプリングバックにより径方向外側に向かって移動する。チャック爪２８の移動範囲は突起部３２によって制限され、コイルばね３０の径方向の弾性力はチャック爪２８によって光ディスク５６の中心孔５６ａを構成する面に与えられる。このため、従来構造と比べて、本発明のモータ１３は、光ディスク５６に対する保持力を大きくすることができる。これにより、モータ回転時に、遠心力や外部振動などにより光ディスク５６が回転部３３から外れることを防止する。
【００２９】
本実施形態は以下の長所を有する。
【００３０】
本実施形態のモータ１３は、磁性材料により形成されたロータホルダ１４およびブッシュ４の間に吸引マグネット３４が配置され、突起部３２と吸引マグネット３４とが軸方向において一部が重なる。これにより、回転部３３の浮きを抑制しつつ、軸損を低減することができる。
【００３１】
本実施形態のモータ１３は、突起部３２は上側面と下側面とを有し、突起部３２の上側面は、第１上端面３２ａと、第１径方向内側面３２ｂと、第１径方向外側面３２ｃと、を有し、突起部３２の下側面は第２径方向内側面３２ｄを有し、第１径方向内側面径方向内側面３２ｂ、第２径方向内側面３２ｄ及び第１径方向外側面３２ｃは、径方向において内方から外方に向かって順次に配列される。突起部３２は、ターンテーブル１６のコイルばね３０が押さえられる時に軸方向下側に曲がることにより、光ディスク５６正しく取り付けられる。
【００３２】
本実施形態のモータ１３は、ブッシュ４は円柱状本体部を有し、該円柱状本体部は、その軸方向上端から径方向外側に広がるフランジ３６を有する。吸引マグネット３４は、ロータホルダ１４のカバー部１４ａの下面に配置される。または、吸引マグネット３４は、フランジ３６の上面に配置される。これによって吸引マグネット３４の適切な位置決めを実現できる。
【００３３】
本実施形態のモータ１３は、突起部３２の第１径方向外側面３２ｃはディスク載置部２２と隙間を介して対向する。これによって、ディスク載置部２２とロータホルダ１４の同軸度を向上されることができる。
【００３４】
本実施形態のモータ１３は、ディスク載置部２２はロータホルダ１４のカバー部１４ａの上面に接触する。ロータホルダ１４が、ディスク載置部２２に接触するように配置されることで、高い剛性を得ることができる。
【００３５】
本実施形態のモータ１３は、吸引マグネット３４の径方向外側面と比べて、フランジ３６の径方向外側面はより径方向外側に位置する。これによって、ステータからの磁束の漏れ出しを低減するとともに、適度な磁気吸引力を得ることができる。
【００３６】
本実施形態のモータ１３は、突起部３２の第２径方向内側面３２ｄと比べて、フランジ３６の径方向外側面はより径方向外側に位置する。これによって、ステータからの磁束の漏れ出しを低減するとともに、適度な磁気吸引力を得ることができる。
【００３７】
本実施形態のモータ１３は、ロータホルダ１４は、カバー部１４ａの径方向内側から軸方向下側に延びる円筒部３８を有し、ロータホルダ１４は円筒部３８によってシャフト１２に固定される。これによって、ロータホルダ１４のシャフト１２に固定される部位の軸方向長さとディスク載置部２２のシャフト１２に固定される部位の軸方向長さを確保することができる。その結果、ロータホルダ１４およびディスク載置部２２は、シャフト１２に強固に固定される。
【００３８】
本実施形態のモータ１３は、吸引マグネット３４は、ロータホルダ１４の円筒部３８の径方向外側に位置するように配置される。吸引マグネット３４の径方向内側面とロータホルダ１４の円筒部３８の外周面との間には隙間を有する。これによって、プレス加工により形成される円筒部３８の精度が比較的低い場合でも、吸引マグネット３４を適切な位置に配置することができる。
【００３９】
本実施形態のモータ１３は、蓋部２０は、シャフト１２に固定される固定部２５を有する、固定部２５は、シャフト１２に接触し、固定される最下端Ａを有する。
【００４０】
本実施形態のモータ１３は、蓋部２０の固定部２５の最下端Ａは、突起部３２の第１上端面３２ａの軸方向下側に位置する。これによって、蓋部２０のシャフト１２に固定される部位の軸方向長さを確保することができる。
【００４１】
本実施形態のモータ１３は、カバー部１４ａの上面と蓋部２０の固定部２５の最下端Ａとの間には隙間を有する。これによって、蓋部２０が接着剤によりシャフト１２に固定される時に、蓋部２０のシャフト１２に固定される部位の下端とロータホルダ１４のカバー部１４ａの上面との間の隙間を利用して、蓋部２０がシャフト１２に固定される時に蓋部２０の軸方向下側に押し出される接着剤を保持することができる。
【００４２】
本実施形態のモータ１３は、蓋部２０の固定部２５は径方向外側面２５ａを有し、突起部３２の第１径方向内側面３２ｂと蓋部２０の固定部２５の径方向外側面２５ａとの間には隙間を有する。これによって、蓋部２０とロータホルダ１４との間の同軸度を向上させることができる。
【００４３】
本発明は以上の実施形態に限定されない。本発明の趣旨を逸脱しない限り、種々な変更を行うことが可能である。例えば、上記実施形態の各種の特徴は任意組み合わせられてもよい。
【産業上の利用可能性】
【００４４】
本発明は、光ディスク駆動用モータおよび前記光ディスク駆動用モータを備える光ディスク駆動装置に利用することができる。
【符号の説明】
【００４５】
１        ディスク駆動装置
４        ブッシュ
１１      筺体
１３      光ディスク駆動用モータ
１４      ロータホルダ
１４ａ    カバー部
１４ｂ    周壁部
１６      ターンテーブル
２０      蓋部
２２      ディスク載置部
２５      固定部
２５ａ    径方向外側面
３２      突起部
３２ａ    第１上端面
３２ｂ    第１径方向内側面
３２ｃ    第１径方向外側面
３２ｄ    第２上端面
３２ｅ    第２径方向内側面
３２ｆ    第２径方向外側面
３４      吸引マグネット
３４ａ    径方向外側面
３４ｂ    径方向内側面
３６      フランジ
３６ａ    径方向外側面
３８      円筒部
３８ａ    外周面
Ａ        最下端
Ｘ        中心軸
【図１】
2013025857.tif 000003
【図２】
2013025857.tif 000004
【図３】
2013025857.tif 000005
【図４】
2013025857.tif 000006